(57)【要約】【課題】  紙の書物を読んだ後で、その書物の内容が記録された電子書籍を読む場合でも、電子書籍上で続けて読む箇所を容易に見つけることが可能な閲覧システムを提供する。【解決手段】  端末装置１は書物の内容の配信要求の入力を受け付けると、書物の内容の配信要求をサーバ装置２に送信する。サーバ装置２は端末装置１からの書物の内容の配信要求を受信すると、書物を示すコードと書物上の位置を示すコードとを鍵にしてコンテンツデータベース２２から書物の内容を検索する。サーバ装置２はコンテンツデータベース２２から検索した書物の内容を、端末装置１に配信する。端末装置１はサーバ装置２からの書物の内容を受信すると、その書物の内容を表示手段１２によって表示する。【選択図】      図１                                                  
2006039975.tif 000002
【特許請求の範囲】
【請求項１】
書物を示す書物コードと前記書物上の位置を示す位置コードとに対応付けて前記書物の内容をディジタルデータで蓄積するコンテンツデータベースと、端末装置からの要求に応じて前記コンテンツデータベースから前記書物の内容を検索する手段と、その検索された書物の内容を前記端末装置に配信する手段とを含むサーバ装置を有し、前記サーバ装置から配信される書物の内容を前記端末装置に順次表示することを特徴とする閲覧システム。
【請求項２】
前記サーバ装置は、前記端末装置固有の端末コードと前記書物コードと前記位置コードとを対応させて登録するユーザデータベースを含み、
前記端末装置からの前記書物コードと前記端末固有の端末コードとを受け付けた時に前記ユーザデーターベースに前記書物コードと前記端末固有の端末コードと前記位置コードの初期値とを追加レコードとして登録し、その後に前記端末装置から前記位置コードを受信する毎に当該端末装置からの書物コードと端末固有の端末コードとを持つ前記ユーザデータベースのレコードの位置コードを更新することを特徴とする請求項１記載の閲覧システム。
【請求項３】
前記サーバ装置は、前記端末装置からの配信要求時に当該端末装置からの書物コードと端末固有の端末コードとを持つ前記ユーザデータベースのレコードの位置コードを次の位置に更新し、前記書物コードと前記位置コードとを基に前記コンテンツデータベースから検索した書物の内容を前記端末装置に配信することを特徴とする請求項１または請求項２記載の閲覧システム。
【請求項４】
前記書物に付与されかつ唯一の第一の特定コードを前記書物コードと前記端末装置固有の端末コードとに対応させて登録するユーザデータベースを前記サーバ装置に含み、
前記サーバ装置は、前記第一の特定コードが真正であることを確認した時に前記第一の特定コードに対応する書物の内容を前記端末装置に配信することを特徴とする請求項１記載の閲覧システム。
【請求項５】
前記書物コードは、前記書物に印刷されたバーコードの読取りと、前記書物に貼付されたＲＦＩＤ（Ｒａｄｉｏ  Ｆｒｅｑｕｅｎｃｙ  ＩＤｅｎｔｉｆｉｃａｔｉｏｎ）の読取りとのうちの少なくともいずれか一方にて入力されることを特徴とする請求項１から請求項４のいずれか記載の閲覧システム。
【請求項６】
前記位置コードは、前記書物に印刷された書物上の位置を示すコードの認識と、前記書物に印刷された書物の内容の認識とのうちの少なくともいずれか一方にて入力されることを特徴とする請求項１から請求項５のいずれか記載の閲覧システム。
【請求項７】
前記端末装置は、前記書物の内容に図表が含まれる場合にその図表に関連する文章が表示されている間、その図表を表示するための操作を自在としたことを特徴とする請求項１から請求項６のいずれか記載の閲覧システム。
【請求項８】
前記サーバ装置は、前記書物の内容を前記端末装置に配信する際に、前記書物の内容とともに広告を配信することを特徴とする請求項１から請求項７のいずれか記載の閲覧システム。
【請求項９】
前記端末装置は、前記広告の表示を停止するための唯一の第二の特定コードが入力された時に当該広告の表示を停止することを特徴とする請求項８記載の閲覧システム。
【請求項１０】
前記書物は、少なくとも書籍及び雑誌を含み、
前記位置コードは、少なくとも前記書物のページ、段落、章、節のいずれかを示すことを特徴とする請求項１から請求項９のいずれか記載の閲覧システム。
【請求項１１】
書物を示す書物コードと、前記書物上の位置を示す位置コードとに対応付けて前記書物の内容をディジタルデータで蓄積するコンテンツデータベースと、端末装置からの要求に応じて前記コンテンツデータベースから前記書物の内容を検索する手段と、その検索された書物の内容を前記端末装置に配信する手段とを有し、前記端末装置に順次表示する書物の内容を配信することを特徴とするサーバ装置。
【請求項１２】
前記端末装置固有の端末コードと前記書物コードと前記位置コードとを対応させて登録するユーザデータベースを含み、
前記端末装置からの前記書物コードと前記端末固有の端末コードとを受け付けた時に前記ユーザデーターベースに前記書物コードと前記端末固有の端末コードと前記位置コードの初期値とを追加レコードとして登録し、その後に前記端末装置から前記位置コードを受信する毎に当該端末装置からの書物コードと端末固有の端末コードとを持つ前記ユーザデータベースのレコードの位置コードを更新することを特徴とする請求項１１記載のサーバ装置。
【請求項１３】
前記端末装置からの配信要求時に当該端末装置からの書物コードと端末固有の端末コードとを持つ前記ユーザデータベースのレコードの位置コードを次の位置に更新し、前記書物コードと前記位置コードとを基に前記コンテンツデータベースから検索した書物の内容を前記端末装置に配信することを特徴とする請求項１１または請求項１２記載のサーバ装置。
【請求項１４】
前記書物に付与されかつ唯一の第一の特定コードを前記書物コードと前記端末装置固有の端末コードとに対応させて登録するユーザデータベースを含み、前記第一の特定コードが真正であることを確認した時に前記第一の特定コードに対応する書物の内容を前記端末装置に配信することを特徴とする請求項１１記載のサーバ装置。
【請求項１５】
前記書物コードは、前記書物に印刷されたバーコードの読取りと、前記書物に貼付されたＲＦＩＤ（Ｒａｄｉｏ  Ｆｒｅｑｕｅｎｃｙ  ＩＤｅｎｔｉｆｉｃａｔｉｏｎ）の読取りとのうちの少なくともいずれか一方にて入力されることを特徴とする請求項１１から請求項１４のいずれか記載のサーバ装置。
【請求項１６】
前記位置コードは、前記書物に印刷された書物上の位置を示すコードの認識と、前記書物に印刷された書物の内容の認識とのうちの少なくともいずれか一方にて入力されることを特徴とする請求項１１から請求項１５のいずれか記載のサーバ装置。
【請求項１７】
前記書物の内容を前記端末装置に配信する際に、前記書物の内容とともに広告を配信することを特徴とする請求項１１から請求項１６のいずれか記載のサーバ装置。
【請求項１８】
前記書物は、少なくとも書籍及び雑誌を含み、
前記位置コードは、少なくとも前記書物のページ、段落、章、節のいずれかを示すことを特徴とする請求項１１から請求項１７のいずれか記載のサーバ装置。
【請求項１９】
サーバ装置から端末装置に書物の内容を配信するシステムに用いられる閲覧方法であって、前記サーバ装置側に、書物を示す書物コードと前記書物上の位置を示す位置コードとに対応付けて前記書物の内容をディジタルデータで蓄積するコンテンツデータベースから前記端末装置からの要求に応じて前記書物の内容を検索するステップと、その検索された書物の内容を前記端末装置に配信するステップとを有し、前記サーバ装置から配信される書物の内容を前記端末装置に順次表示することを特徴とする閲覧方法。
【請求項２０】
前記端末装置固有の端末コードと前記書物コードと前記位置コードとを対応させて登録するユーザデータベースを前記サーバ装置に設け、
前記サーバ装置が、前記端末装置からの前記書物コードと前記端末固有の端末コードとを受け付けた時に前記ユーザデーターベースに前記書物コードと前記端末固有の端末コードと前記位置コードの初期値とを追加レコードとして登録し、その後に前記端末装置から前記位置コードを受信する毎に当該端末装置からの書物コードと端末固有の端末コードとを持つ前記ユーザデータベースのレコードの位置コードを更新することを特徴とする請求項１９記載の閲覧方法。
【請求項２１】
前記サーバ装置が、前記端末装置からの配信要求時に当該端末装置からの書物コードと端末固有の端末コードとを持つ前記ユーザデータベースのレコードの位置コードを次の位置に更新し、前記書物コードと前記位置コードとを基に前記コンテンツデータベースから検索した書物の内容を前記端末装置に配信することを特徴とする請求項１９または請求項２０記載の閲覧方法。
【請求項２２】
前記書物に付与されかつ唯一の第一の特定コードを前記書物コードと前記端末装置固有の端末コードとに対応させて登録するユーザデータベースを前記サーバ装置に設け、
前記サーバ装置が前記第一の特定コードが真正であることを確認した時に前記第一の特定コードに対応する書物の内容を前記端末装置に配信することを特徴とする請求項１９記載の閲覧方法。
【請求項２３】
前記書物コードは、前記書物に印刷されたバーコードの読取りと、前記書物に貼付されたＲＦＩＤ（Ｒａｄｉｏ  Ｆｒｅｑｕｅｎｃｙ  ＩＤｅｎｔｉｆｉｃａｔｉｏｎ）の読取りとのうちの少なくともいずれか一方にて入力されることを特徴とする請求項１９から請求項２２のいずれか記載の閲覧方法。
【請求項２４】
前記位置コードは、前記書物に印刷された書物上の位置を示すコードの認識と、前記書物に印刷された書物の内容の認識とのうちの少なくともいずれか一方にて入力されることを特徴とする請求項１９から請求項２３のいずれか記載の閲覧方法。
【請求項２５】
前記端末装置が前記書物の内容に図表が含まれる場合にその図表に関連する文章が表示されている間、その図表を表示するための操作を自在としたことを特徴とする請求項１９から請求項２４のいずれか記載の閲覧方法。
【請求項２６】
前記サーバ装置が前記書物の内容を前記端末装置に配信する際に、前記書物の内容とともに広告を配信することを特徴とする請求項１９から請求項２５のいずれか記載の閲覧方法。
【請求項２７】
前記端末装置が前記広告の表示を停止するための唯一の第二の特定コードが入力された時に当該広告の表示を停止することを特徴とする請求項２６記載の閲覧方法。
【請求項２８】
前記書物は、少なくとも書籍及び雑誌を含み、
前記位置コードは、少なくとも前記書物のページ、段落、章、節のいずれかを示すことを特徴とする請求項１９から請求項２７のいずれか記載の閲覧方法。
【請求項２９】
サーバ装置から端末装置に書物の内容を配信するシステムに用いられる閲覧方法のプログラムであって、コンピュータに、書物を示す書物コードと前記書物上の位置を示す位置コードとに対応付けて前記書物の内容をディジタルデータで蓄積するコンテンツデータベースから前記端末装置からの要求に応じて前記書物の内容を検索する処理と、その検索された書物の内容を前記端末装置に配信する処理と実行させ、前記サーバ装置から配信される書物の内容を前記端末装置に順次表示させるためのプログラム。
【請求項３０】
書物を示す書物コードと前記書物上の位置を示す位置コードとに対応付けて前記書物の内容をディジタルデータに格納される書物の内容と書物とにおいて、前記書物上の位置を一致させることを特徴とする組版システム。
【請求項３１】
書物の内容を予め登録された携帯端末にのみ表示させるために、その書物を示すコードと端末装置に固有な端末固有番号とともに予め登録されかつ唯一の第一の特定コードを当該書物に付与して製造することを特徴とする書物の製造方法。
【発明の詳細な説明】
【技術分野】
【０００１】
本発明は閲覧システム、サーバ装置及びそれに用いる閲覧方法並びにそのプログラムに関し、特に電子書籍の閲覧方法に関する。
【背景技術】
【０００２】
従来、この種の電子書籍の閲覧方法としては、識別子を有する紙の書籍と、読取り機を有する端末と、ユーザＤＢ（データベース）、ユーザ書庫ＤＢ、識別子ＤＢ、電子書籍ＤＢを有するサーバとから構成されているシステムに用いられている（例えば、特許文献１参照）。
【０００３】
上記のシステムにおいては、書籍が有している識別子を、端末の有している読取り機で読取り、その読取った識別子をユーザ書庫ＤＢに登録し、ユーザと書籍との対応付けを行い、電子書籍ＤＢから書籍を選択し、書籍内容を表示している。また、ユーザ書庫ＤＢにはしおりがあり、電子書籍ＤＢにしおりが登録されていた場合、続きの書籍内容を読むことができる。
【０００４】
【特許文献１】特開２００３−６７３７８号公報
【発明の開示】
【発明が解決しようとする課題】
【０００５】
しかしながら、上述した従来のシステムでは、識別子が書籍のみに設けられており、書物上の位置であるページ等には与えられていないため、紙の書籍を読んだ後で、電子書籍を読む場合、読んだ場所を容易に見つけることができない。また、従来のシステムでは、著作に関する権利を保護する機能を有していない。
【０００６】
すなわち、上記のように、従来の閲覧システムでは、書籍等の書物において、その書物上の位置とは関係なく、利用者の端末に書物の内容の始まりから終わりまでが表示されているので、紙の書物を読んだ後で、その書物の内容が記録された電子書籍を読む場合、電子書籍上で続けて読む箇所を容易に見つけることができないという問題がある。
【０００７】
そこで、本発明の目的は上記の問題点を解消し、紙の書物を読んだ後で、その書物の内容が記録された電子書籍を読む場合でも、電子書籍上で続けて読む箇所を容易に見つけることができる閲覧システム、サーバ装置及びそれに用いる閲覧方法並びにそのプログラムを提供することにある。
【課題を解決するための手段】
【０００８】
本発明による閲覧システムは、書物を示す書物コードと前記書物上の位置を示す位置コードとに対応付けて前記書物の内容をディジタルデータで蓄積するコンテンツデータベースと、端末装置からの要求に応じて前記コンテンツデータベースから前記書物の内容を検索する手段と、その検索された書物の内容を前記端末装置に配信する手段とを含むサーバ装置を備え、前記サーバ装置から配信される書物の内容を前記端末装置に順次表示している。
【０００９】
本発明によるサーバ装置は、書物を示す書物コードと、前記書物上の位置を示す位置コードとに対応付けて前記書物の内容をディジタルデータで蓄積するコンテンツデータベースと、端末装置からの要求に応じて前記コンテンツデータベースから前記書物の内容を検索する手段と、その検索された書物の内容を前記端末装置に配信する手段とを備え、前記端末装置に順次表示する書物の内容を配信している。
【００１０】
本発明による閲覧方法は、サーバ装置から端末装置に書物の内容を配信するシステムに用いられる閲覧方法であって、前記サーバ装置側に、書物を示す書物コードと前記書物上の位置を示す位置コードとに対応付けて前記書物の内容をディジタルデータで蓄積するコンテンツデータベースから前記端末装置からの要求に応じて前記書物の内容を検索するステップと、その検索された書物の内容を前記端末装置に配信するステップとを有し、前記サーバ装置から配信される書物の内容を前記端末装置に順次表示している。
【００１１】
本発明による閲覧方法のプログラムは、サーバ装置から端末装置に書物の内容を配信するシステムに用いられる閲覧方法のプログラムであって、コンピュータに、書物を示す書物コードと前記書物上の位置を示す位置コードとに対応付けて前記書物の内容をディジタルデータで蓄積するコンテンツデータベースから前記端末装置からの要求に応じて前記書物の内容を検索する処理と、その検索された書物の内容を前記端末装置に配信する処理と実行させ、前記サーバ装置から配信される書物の内容を前記端末装置に順次表示させている。
【００１２】
本発明による組版システムは、書物を示す書物コードと前記書物上の位置を示す位置コードとに対応付けて前記書物の内容をディジタルデータに格納される書物の内容と書物とにおいて、前記書物上の位置を一致させている。
【００１３】
本発明による書物の製造方法は、書物の内容を予め登録された携帯端末にのみ表示させるために、その書物を示すコードと端末装置に固有な端末固有番号とともに予め登録されかつ唯一の第一の特定コードを当該書物に付与して製造している。
【００１４】
すなわち、本発明の閲覧システムは、利用者が読んでいる書籍、雑誌等の書物のページ、段落、章、節等の書物上の位置を示すコードを含むバーコード、ＲＦＩＤ（Ｒａｄｉｏ  Ｆｒｅｑｕｅｎｃｙ  ＩＤｅｎｔｉｆｉｃａｔｉｏｎ）の入力または利用者の操作によって書物上の位置を示すコードの入力を受け付ける入力手段と、当該書物の文章、図表等を含む書物の内容と当該書物の内容における書物上の位置とを記憶する記憶手段とを有し、入力手段で受け付けた書物上の位置を示すコードを参照し、当該書物の書物上の位置からの書物の内容を記憶手段から検索し、その検索された内容を利用者の携帯端末に表示することを特徴としている。
【００１５】
本発明の閲覧システムでは、バーコード、ＲＦＩＤまたは利用者の操作によって入力されかつ利用者が読んでいる書籍、雑誌等の書物を示すコード及びその書物のページ、段落、章、節等の書物上の位置を示すコードを参照し、その書物の内容を記憶する電子書籍においてその書物上の位置からの文章、図表等を含む書物の内容を利用者の携帯端末に順次表示することを特徴としている。
【００１６】
また、本発明の閲覧システムでは、書物に、その書物を示すコードと、利用者の携帯端末に固有な端末固有番号とともに予め登録された第一の特定コード（唯一のコード）を付与し、その書物の内容を予め登録された携帯端末にのみ表示することを特徴としている。
【００１７】
さらに、本発明の閲覧システムでは、書物の内容に図表が含まれる場合、その図表に関連する文章が表示されている間、その図表を表示するための操作を可能とすることを特徴としている。
【００１８】
さらにまた、本発明の閲覧システムでは、書物の内容を表示する際に、広告をも表示することを特徴としている。この場合、広告は表示画面の一部を占有するものであったり、あるいは書物の内容の表示が一定量進むと、表示画面の一部または全部を占有して表示し、一定時間の経過または利用者の操作によって書物の内容の表示に戻ることが可能となっている。
【００１９】
上記の広告の表示を停止させる場合には、広告の表示を停止させるための第二の特定コード（唯一のコード）を登録しておくことで、広告の表示を容易に停止可能とすることを特徴としている。
【００２０】
本発明の組版システムでは、書物の内容を格納するデータベースにおいて、その格納内容がその書物のページ、段落、章、節等の書物上の位置と一致するように、当該書物の内容を格納させている。
【００２１】
本発明の書物の製造方法では、その書物の内容を予め登録された携帯端末にのみ表示させるために、その書物を示すコードと利用者の携帯端末に固有な端末固有番号とともに予め登録された第一の特定コード（唯一のコード）を当該書物に付与して製造することを特徴としている。
【００２２】
上記のように、本発明の閲覧システムでは、利用者が読んだ書物の書物上の位置をサーバ装置によって登録し、その書物上の位置を鍵にコンテンツデータベースを検索して書物の内容の続きから携帯端末に配信し、その内容を携帯端末に表示しているので、利用者が書籍または雑誌等の書物で読んだ書物の内容の続きを、その書物を携帯していなくとも、利用者の携帯端末上で読むことが可能となる。
【００２３】
その際、利用者は書物の内容の続きの部分を探さなくとも、読んでいた書物の続きの内容から閲覧することが可能となる。また、書物上の位置の登録は、バーコードまたはＲＦＩＤを読み取ることによって、その操作を簡単に行うことが可能となる。
【００２４】
また、本発明の閲覧システムでは、利用者が購入した書物に第一の唯一なコードを与え、書物を示すコードと、当該第一の唯一なコードと、利用者の携帯端末の固有のコードとを登録することによって、利用者が書物を購入した場合にのみ、当該書物の内容が利用者の携帯端末に表示されるため、無制限な閲覧を防止し、著作に関する権利を守ることが可能となる。
【００２５】
さらに、本発明の閲覧システムでは、書物の内容の表示する際に、広告をも表示することを可能とし、利用者が書物の内容を利用者の意思を持って閲覧しており、その際に広告をも表示することが可能であるため、効果的な広告の配信を行うことが可能となる。
【００２６】
この場合、本発明の閲覧システムでは、第二の唯一なコードを登録することによって、広告の表示を停止することが可能となるので、広告を嫌う利用者にも、広告を表示することなく、書物の内容を配信することが可能となる。その際、広告配信で得られるはずの広告費は、第二の唯一なコードを販売することで代替が可能である。
【００２７】
本発明の組版システムでは、書物の内容を格納するデータベースにおいて、その格納内容を書物の上の位置に一致させることが組版にて可能となるため、書物の原価の上昇を抑えることが可能となる。その際、書物に第一の唯一なコードを与える製造方法が安価に実現可能となる。
【００２８】
本発明の書物の製造方法では、書物に第一の唯一なコードを与えることが、書物の製造において完結することが可能となるため、書物の流通における原価の上昇を抑えることが可能となる。
【発明の効果】
【００２９】
本発明は、以下に述べるような構成及び動作とすることで、紙の書物を読んだ後で、その書物の内容が記録された電子書籍を読む場合でも、電子書籍上で続けて読む箇所を容易に見つけることができるという効果が得られる。
【発明を実施するための最良の形態】
【００３０】
次に、本発明の実施例について図面を参照して説明する。図１は本発明の第１の実施例による閲覧システムの構成を示すブロック図である。図１において、本発明の第１の実施例による閲覧システムは携帯電話等の携帯端末装置を含む端末装置１と、サーバ装置２と、電気通信網３とから構成されている。
【００３１】
端末装置１は制御手段１１と、表示手段１２と、入力手段１３と、通信手段１４と、記録媒体１５とから構成されている。サーバ装置２は制御手段２１と、コンテンツデータベース２２と、ユーザデーターベース２３と、通信手段２４と、記録媒体２５とから構成されている。
【００３２】
端末装置１の制御手段１１はプログラム制御によって動作するコンピュータを含み、記録媒体１５に格納されたプログラムの実行による制御で端末装置１の各手段を制御する。
【００３３】
表示手段１２は制御手段１１の制御によって端末装置１の利用者に対する表示を行う。入力手段１３はバーコードまたはＲＦＩＤ（Ｒａｄｉｏ  Ｆｒｅｑｕｅｎｃｙ  ＩＤｅｎｔｉｆｉｃａｔｉｏｎ）に記録されたコードを読取ったり、あるいは利用者の操作を受け付けて制御手段１１に伝える。通信手段１４は電気通信網３との通信を行う。
【００３４】
サーバ装置２の制御手段２１はプログラム制御によって動作するコンピュータを含み、記録媒体２５に格納されたプログラムの実行による制御でサーバ装置２の各手段を制御する。
【００３５】
コンテンツデータベース２２は書物を示すコード（以下、書物コードとする）と書物上の位置を示すコード（以下、位置コードとする）とに対応付けて書物の内容をディジタルデータで蓄積するデータベースである。ユーザデータベース２３は端末装置１の端末固有番号（端末コード）と、書物コードと、位置コードとを互いに対応付けて蓄積するデータベースである。通信手段２４は電気通信網３との通信を行う。
【００３６】
図２は図１のコンテンツデータベース２２の構成例を示す図である。図２において、コンテンツデータベース２２の列にはフィールド、行にはレコードがそれぞれ示されており、フィールド２２０１には書物コード、フィールド２２０２には位置コード、フィールド２２０３には書物の内容がそれぞれ割り当てられている。
【００３７】
レコード２２０４〜２２１０は、レコード２２０４を例にとると、書物コードが「ｃ１」であり、位置コードが「１」（この例では１ページを示ｒ）で、書物の内容が各作品の文章であることをそれぞれ示している。
【００３８】
図３は図１のユーザデータベース２３の構成例を示す図である。図３において、ユーザデータベース２３の列にはフィールド、行にはレコードがそれぞれ示されており、フィールド２３０１には端末固有番号、フィールド２３０２には書物コード、フィールド２３０３には位置コードがそれぞれ割り当てられている。
【００３９】
レコード２３０４〜２３１４は、レコード２３０４を例にとると、端末装置１の固有番号が「ｔ１」で、書物コードが「ｃ１」で、位置コードが「１２５」（この例では１２５ページを示す）であることをそれぞれ示している。
【００４０】
図４〜図７は本発明の第１の実施例による閲覧システムの動作を示すフローチャートであり、図８〜図１２は図１の端末装置１の表示手段１２の画面表示例を示す図である。これら図１〜図１２を参照して本発明の第１の実施例による閲覧システムの動作について説明する。
【００４１】
図４は利用者が新たな書物を読もうとするか、新たな利用者が発生した場合の書物（図示せず）と端末装置１との組み合わせを登録する動作を示している。この図４を参照して書物と端末装置１との組み合わせを登録する動作について説明する。
【００４２】
まず、端末装置１は書物コードの入力を入力手段１３によって受け付けると（図４ステップＳ１）、その受け付けた書物コードと自装置に固有な端末固有番号とをサーバ装置２に通信手段１４によって送信する（図４ステップＳ２）。
【００４３】
サーバ装置２は端末装置１からの書物コードと端末固有番号とを通信手段２４によって受信すると（図４ステップＳ１１）、ユーザデーターベース２３に書物コードと、端末固有番号と、位置コードの初期値とを追加レコードとして登録する（図４ステップＳ１２）。
【００４４】
図５は利用者が書物の続きを読むために、その続きの位置コードを入力する動作を示している。この図５を参照して書物の続きを読むために位置コードを入力する動作について説明する。この動作においては、書物コードと端末固有番号とが、図４に示す動作に例示されたように、適宜認知されている。
【００４５】
まず、端末装置１は位置コードの入力を入力手段１３によって受け付けると（図５ステップＳ２１）、位置コードをサーバ装置２に通信手段１４によって送信する（図５ステップＳ２２）。
【００４６】
サーバ装置２は端末装置１からの位置コードを通信手段２４によって受信すると（図５ステップＳ３１）、ユーザデータベース２３においてその書物コードと端末固有番号とを持つレコードの位置コードを更新する（図５ステップＳ３２）。
【００４７】
図６は利用者が書物の続きを読む要求を行い、書物の内容が表示されるまでの動作を示している。この図６を参照して利用者が書物の続きを読む要求を行い、書物の内容が表示されるまでの動作について説明する。この動作においては、書物を示すコードと端末固有番号とが、図４に示す動作に例示されたように、適宜認知されている。
【００４８】
まず、端末装置１は書物の内容の配信要求の入力を入力手段１３によって受け付けると（図６ステップＳ４１）、書物の内容の配信要求をサーバ装置２に通信手段１４によって送信する（図６ステップＳ４２）。
【００４９】
サーバ装置２は端末装置１からの書物の内容の配信要求を通信手段２４によって受信すると（図６ステップＳ５１）、書物コードと位置コードとを鍵にしてコンテンツデータベース２２から書物の内容を検索する（図６ステップＳ５２）。サーバ装置２はコンテンツデータベース２２から検索した書物の内容を、端末装置１に通信手段２４によって配信する（図６ステップＳ５３）。
【００５０】
端末装置１はサーバ装置２からの書物の内容を通信手段１４によって受信すると（図６ステップＳ４３）、その書物の内容を表示手段１２によって表示する（図６ステップＳ４４）。
【００５１】
図７は利用者が更なる書物の続きの要求を行い、書物の内容が表示されるまでの動作を示している。この図７を参照して更なる書物の続きの要求を行い、書物の内容が表示されるまでの動作について説明する。この動作においては、書物コードと端末固有番号とが、図４に示す動作に例示されたように、適宜認知されている。
【００５２】
まず、端末装置１は更なる書物の内容の配信要求の入力を入力手段１３によって受け付けると（図７ステップＳ６１）、更なる書物の内容の配信要求をサーバ装置２に通信手段１４によって送信する（図７ステップＳ６２）。
【００５３】
サーバ装置２は端末装置１からの更なる書物の内容の配信要求を通信手段２４によって受信すると（図７ステップＳ７１）、ユーザデータベース２３の該当するレコード（書物コードと端末固有番号とを持つレコード）の位置コードを次の位置に更新する（図７ステップＳ７２）。
【００５４】
サーバ装置２は書物コードと位置コードとを鍵にしてコンテンツデータベース２２から書物の内容を検索する（図７ステップＳ７３）。サーバ装置２はコンテンツデータベース２２から検索した書物の内容を、端末装置１に通信手段２４によって配信する（図７ステップＳ７４）。
【００５５】
端末装置１はサーバ装置２からの書物の内容を通信手段１４によって受信すると（図７ステップＳ６３）、その書物の内容を表示手段１２によって表示する（図７ステップＳ６４）。
【００５６】
図８は利用者が新たな書物を読もうとするか、新たな利用者が発生した場合の書物と端末装置との組み合わせを登録する動作において、もしくは利用者が書物の続きを読むために続きの位置コードを入力する動作において、書物コードまたは位置コードを入力する手段の一環として、表示手段１２に表示される画面表示の一例を示している。
【００５７】
この例では、書物コードであるＩＳＢＮ（Ｉｎｔｅｒｎａｔｉｏｎａｌ  Ｓｔａｎｄａｒｄ  Ｂｏｏｋ  Ｎｕｍｂｅｒｉｎｇ  ｃｏｄｅ：国際標準図書番号）コードの表示Ｄ１０１（「４−０００−０００００−０」）と、位置コードであるページの表示Ｄ１０２（「５１」）とがなされている。尚、Ｄ１０３は実行の操作キーを示している。
【００５８】
ＩＳＢＮコードの表示Ｄ１０１は、利用者の操作による入力の確認のため、またはバーコードの読み取りの結果の確認のために表示されている。ページの表示Ｄ１０２は利用者の操作による入力の確認のため、またはバーコードの読み取りの結果の確認のために表示されている。
【００５９】
図９は利用者が複数の書物を登録している場合、書物コードを入力するための動作の一つの手段として、利用者に書物を選択させるための画面表示の一例を示している。この例では、書物コードである書名（「作品Ａ」、「作品Ｂ」、「作品Ｃ」等）が表の形式で、位置コードである頁（「３６」、「２５」、「６３」等）とともに表示Ｄ１０４に表示されている。尚、Ｄ１０５は実行の操作キーを示している。
【００６０】
図１０及び図１１は書物の内容が表示される動作で、書物の内容が表示された画面表示の例を示している。表示Ｄ１０６では書物の内容が横書きに、表示Ｄ１０９では書物の内容が縦書きにそれぞれ表示されている。尚、Ｄ１０７は終了の操作キーを、Ｄ１０８は続きの操作キーをそれぞれ示している。
【００６１】
図１２は書物の内容が表示される動作で、その動作の終了の時点で、続きが書物のどの部分に当たるかを表示している画面表示の一例である。この例では、表示Ｄ１１０に書物コードである書名（作品Ｃ）と、位置コードであるページ及び行数（「６５ページ１３行目」）とが表示されており、表示Ｄ１１１に位置コードであるページと行数とが視覚的に表示されている。
【００６２】
このように、本実施例では、利用者が読んだ書物の書物上の位置をサーバ装置２によって登録し、その書物上の位置を鍵にコンテンツデータベース２２を検索して書物の内容の続きから端末装置１に配信し、その内容を端末装置１に表示しているので、利用者が書籍または雑誌等の書物で読んだ書物の内容の続きを、その書物を携帯していなくとも、利用者の端末装置１上で読むことができる。
【００６３】
図１３は本発明の第２の実施例による閲覧システムの構成を示すブロック図である。図１３において、本発明の第２の実施例による閲覧システムは携帯電話等の携帯端末装置を含む端末装置１と、サーバ装置２と、電気通信網３と、第二のサーバ装置４とから構成されている。尚、端末装置１及びサーバ装置２の構成は図１に示す本発明の第１の実施例と同様なので、その図示を省略している。
【００６４】
第二のサーバ装置４は制御手段４１と、第一の唯一のコード発生記憶確認手段４２と、印刷書込み手段４３と、通信手段４４と、記録媒体４５とから構成されている。
【００６５】
制御手段４１はプログラム制御によって動作するコンピュータを含み、記録媒体４５に格納されたプログラムの実行による制御によってサーバ装置４の各手段を制御する。
【００６６】
第一の唯一のコード発生記憶確認手段４２は書物の一部毎、もしくは書物の販売毎に唯一である第一の唯一のコードを発生させ、発生させた第一の唯一のコードを記憶し、発生させた第一の唯一のコードであるかと、既に使用済みでないかの問い合わせに対して確認を行う。尚、「第一の唯一のコードが真正のものであるかを確認する」とは、この確認を指している。
【００６７】
印刷書込み手段４３は第一の唯一のコード発生記憶確認手段４２が発生した第一の唯一のコードを、書物またはその構成物、もしくは別の紙、ＲＦＩＤ等の媒体に印刷または書込みを行う。通信手段４４は電気通信網３との通信を行う。尚、電気通信網３は単一のものである必要は無く、構成の各装置が通信を行えれば、複数の電気通信網でも構わない。
【００６８】
図１４は本発明の第２の実施例による閲覧システムの動作を示すフローチャートである。これら図１３及び図１４を参照して本発明の第２の実施例による閲覧システムの動作について説明する。図１４は利用者が新たな書物を読もうとするか、新たな利用者が発生した場合の書物と端末装置との組み合わせを登録する動作を示している。
【００６９】
まず、端末装置１は書物コードと第一の唯一のコードとの入力を入力手段１３によって受け付けると（図１４ステップＳ８１）、その受け付けた書物コードと第一の唯一のコードと自装置に固有な端末固有番号とをサーバ装置２に通信手段１４によって送信する（図１４ステップＳ８２）。
【００７０】
サーバ装置２は端末装置１からの書物コードと第一の唯一のコードと端末固有番号とを通信手段２４によって受信すると（図１４ステップＳ９１）、端末装置１からの第一の唯一のコードが真正のものであるかを確認する（図１４ステップＳ９２）。
【００７１】
サーバ装置２は第一の唯一のコードが真正のものであることを確認すると、ユーザデーターベース２３に書物コードと、端末固有番号と、位置コードの初期値とを追加レコードとして登録する（図１４ステップ９３）。この後の動作は、上述した本発明の第１の実施例の動作（図５〜図７に示す動作）と同様であるので、その説明を省略する。
【００７２】
このように、本実施例では、利用者が購入した書物に第一の唯一のコードを与え、書物コードと、当該第一の唯一のコードと、利用者の端末装置１の固有の端末固有番号とを登録することによって、利用者が書物を購入した場合にのみ、当該書物の内容が利用者の端末装置１に表示されるため、無制限な閲覧を防止し、著作に関する権利を守ることができる。
【００７３】
図１５は本発明の第３の実施例におけるコンテンツデータベースの構成例を示す図である。尚、本発明の第３の実施例による閲覧システムの構成は上述した図１に示す本発明の第１の実施例と同様であるので、その説明は省略する。
【００７４】
図１５において、本発明の第３の実施例におけるコンテンツデータベース２２は書物コードと、位置コードと、書物の内容との他に、関連する図表を示すコードを蓄積するデータベースである。つまり、コンテンツデータベース２２は関連する図表を示すフィールド２２１１を追加した以外は図２に示すコンテンツデータベース２２と同様の構成となっている。
【００７５】
図１６及び図１７は本発明の第３の実施例による端末装置の表示手段の画面表示例を示す図である。本発明の第３の実施例による閲覧システムの動作は、上述した本発明の第１の実施例による閲覧システムと同様の動作となっている。
【００７６】
すなわち、図６または図７に示す動作において、コンテンツデータベース２２から書物の内容を検索する際に（図６ステップＳ５２、または図７ステップＳ７３）、フィールド２２１１に関連する図表がある場合、図１６に示す画面表示例のように、書物の内容を表示Ｄ１１２に示し、関連図表を表示するための手段があることを表示Ｄ１１３に表示している。
【００７７】
表示Ｄ１１３に示す手段としては、例えば、割り当てられた電鍵を利用者が操作すると、図１７に示す画面表示例のように、関連する図表が表示される。この場合、表示Ｄ１１３に示す操作キー（「図１」）にカーソルを持って行ってクリックすることでも、関連する図表は表示される。
【００７８】
図１８は本発明の第４の実施例による閲覧システムの構成を示すブロック図である。図１８において、本発明の第４の実施例による閲覧システムは携帯電話等の携帯端末装置を含む端末装置１と、サーバ装置２と、電気通信網３と、広告サーバ装置５と、第三のサーバ装置６とから構成されている。尚、端末装置１の構成は図１に示す本発明の第１の実施例と同様なので、その図示を省略している。
【００７９】
サーバ装置２は広告データベース２６を追加して、制御手段２１と、コンテンツデータベース２２と、ユーザデーターベース２３と、通信手段２４と、記録媒体２５と、広告データベース２６とから構成されている。サーバ装置２の広告データベース２６は端末装置１に表示する広告を格納するデータベースである。
【００８０】
第三のサーバ装置６は制御手段６１と、第二の唯一のコード発生記憶確認手段６２と、印刷書込み手段６３と、通信手段６４と、記録媒体６５とから構成されている。
【００８１】
第三のサーバ装置６の制御手段６１はプログラム制御によって動作するコンピュータを含み、記録媒体６５に格納されたプログラムの実行による制御で、第三のサーバ装置６の各手段を制御する。
【００８２】
第二の唯一のコード発生記憶確認手段６２はそのコードの印刷または書込みが行われた媒体毎に、唯一である第二の唯一のコードを発生させ、発生させた第二の唯一のコードを記憶し、発生させた第二の唯一のコードであるかと、既に使用済みでないかの問い合わせに対して確認を行う。尚、「第二の唯一のコードが真正のものであるかを確認する」とは、この確認を指している。
【００８３】
印刷書込み手段６３は第二の唯一のコード発生記憶確認手段６２が発生した第二の唯一のコードを紙、プラスティック、ＲＦＩＤ等の媒体への印刷または書込みを行う。通信手段６４は電気通信網３との通信を行う。尚、電気通信網３は単一のものである必要は無く、構成の各装置が通信を行えれば、複数の電気通信網でも構わない。
【００８４】
図１９は図１８のユーザデータベース２３の構成例を示す図である。図１９において、ユーザデータベース２３は上述した図３に示すユーザデータベース２２に、広告の有無を示すフィールド２２１５を追加した構造となっている。
【００８５】
図２０は図１８の広告データベース２６の構成例を示す図である。図２０において、広告データベース２６はフィールド２６０１において、レコード２６０２〜２６０５に広告の文章または図表を格納している。
【００８６】
図２１及び図２２は本発明の第４の実施例による端末装置１の表示手段１２の画面表示例を示す図である。これら図１８〜図２２を参照して本発明の第４の実施例による閲覧システムの動作について説明する。尚、本発明の第４の実施例の動作は上述した本発明の第１の実施例の動作と同様である。
【００８７】
図５に示す動作において、ユーザデータベース２３を検索する際に、広告の有無を示すフィールド２２１５が「有」になっている場合には、図６または図７に示す動作において、書物の内容を配信する際に（図６ステップＳ５３または図６ステップＳ７４）、広告データベース２６の広告も併せて配信され、端末装置１に表示される。
【００８８】
広告の表示の仕方は、図２１に示す画面表示例のように、広告Ｄ１１７が表示Ｄ１１６が表示された画面の一部を占有していても良いし、図２２に示す画面表示例のように、広告Ｄ１１８が画面の全部または大部分を占有していても良い。尚、Ｄ１１５は前のページに戻るための操作キーを示している。
【００８９】
また、端末装置１は第二の唯一のコードの入力を入力手段１３によって受け付けると、その受け付けた第二の唯一のコードをサーバ装置２に通信手段１４によって送信する。
【００９０】
サーバ装置２は端末装置１からの第二の唯一コードを通信手段２４によって受信すると、第二の唯一のコードが真正であるかどうか、すなわち発生させた第二の唯一のコードであるかどうかと、既に使用済みでないかどうかとを第二の唯一のコード発生記憶確認手段６２によって確認し、ユーザデーターベース２３の広告の有無を示すフィールドを「無」にする。
【００９１】
このように、本実施例では、書物の内容の表示する際に、広告をも表示することを可能とし、利用者が書物の内容を利用者の意思を持って閲覧しており、その際に広告をも表示することが可能であるため、効果的な広告の配信を行うことができる。
【００９２】
この場合、本実施例では、第二の唯一のコードを登録することによって、広告の表示を停止することが可能となるので、広告を嫌う利用者にも、広告を表示することなく、書物の内容を配信することが可能となる。その際、広告配信で得られるはずの広告費は、第二の唯一のコードを販売することで代替が可能である。
【００９３】
図２３及び図２４は本発明の第５の実施例による書物の組版の一例を示す図である。本発明の第５の実施例では図２に示すコンテンツデータベース２２を作成する際に、書物の組版を行うためのデータに含まれる書物上の位置及び書物の内容と同じものをコンテンツデータベース２２に格納する。
【００９４】
図２３では書物の内容が文章７０１にて示され、書物上の位置を示すコードがコード７０２で表されている。コード７０２は、この例ではページであり、数字及び二次元バーコードで表されている。
【００９５】
図２４では書物の内容が文章７０３にて示され、書物上の位置を示すコードがコード７０４で表されている。コード７０４は、この例ではページ及び段落であり、ページは数字で、段落は二次元バーコードで表されている。
【００９６】
このように、本実施例では、書物の内容を格納するコンテンツデータベース２２において、その格納内容を書物の上の位置に一致させることが組版にて可能となるため、書物の原価の上昇を抑えることができる。その際、本実施例では、書物に第一の唯一のコードを与える製造方法を安価に実現することができる。
【００９７】
図２５は本発明の第６の実施例による書物の製造工程の一部を示す工程図である。図２５において、書物の製造工程は第一の唯一のコードを書物の本体、すなわち表紙やページ等に印刷する工程（図２５工程Ｓ１０１）を含んでいる。尚、これ以外のステップは、通常の書物の製造工程と同じであるので、その図示及び説明を省略する。
【００９８】
このように、本実施例では、書物に第一の唯一のコードを与えることを、書物の製造において完結することができるので、書物の流通における原価の上昇を抑えることができる。
【００９９】
図２６は本発明の第７の実施例による書物の製造工程の一部と書物のカバーまたは帯の製造工程の一部とを示す工程図である。図２６において、書物のカバーまたは帯の製造工程は第一の唯一のコードを書物のカバーまたは帯に印刷する工程（図２６工程Ｓ１１１）を含んでいる。また、書物の製造工程は第一の唯一のコードが印刷された書物のカバーまたは帯を書物の本体と結合させる工程（図２６工程Ｓ１１２）を含んでいる。尚、これ以外のステップは、通常の書物の製造工程及び書物のカバーまたは帯の製造工程と同じであるので、その図示及び説明を省略する。
【０１００】
このように、本実施例では、書物に第一の唯一のコードを与えることを、書物の製造において完結することができるので、書物の流通における原価の上昇を抑えることができる。
【産業上の利用可能性】
【０１０１】
本発明は、上記の各実施例に示すケースのみならず、書物の内容を利用者の携帯端末に配信する配信サービスといった用途にも適用可能であり、書物が学習に関するものであれば、教育サービスといった用途にも適用可能である。
【図面の簡単な説明】
【０１０２】
【図１】本発明の第１の実施例による閲覧システムの構成を示すブロック図である。
【図２】図１のコンテンツデータベースの構成例を示す図である。
【図３】図１のユーザデータベースの構成例を示す図である。
【図４】本発明の第１の実施例による閲覧システムの動作を示すフローチャートである。
【図５】本発明の第１の実施例による閲覧システムの動作を示すフローチャートである。
【図６】本発明の第１の実施例による閲覧システムの動作を示すフローチャートである。
【図７】本発明の第１の実施例による閲覧システムの動作を示すフローチャートである。
【図８】図１の端末装置の表示手段の画面表示例を示す図である。
【図９】図１の端末装置の表示手段の画面表示例を示す図である。
【図１０】図１の端末装置の表示手段の画面表示例を示す図である。
【図１１】図１の端末装置の表示手段の画面表示例を示す図である。
【図１２】図１の端末装置の表示手段の画面表示例を示す図である。
【図１３】本発明の第２の実施例による閲覧システムの構成を示すブロック図である。
【図１４】本発明の第２の実施例による閲覧システムの動作を示すフローチャートである。
【図１５】本発明の第３の実施例におけるコンテンツデータベースの構成例を示す図である。
【図１６】本発明の第３の実施例による端末装置の表示手段の画面表示例を示す図である。
【図１７】本発明の第３の実施例による端末装置の表示手段の画面表示例を示す図である。
【図１８】本発明の第４の実施例による閲覧システムの構成を示すブロック図である。
【図１９】図１８のユーザデータベースの構成例を示す図である。
【図２０】図１８の広告データベースの構成例を示す図である。
【図２１】本発明の第４の実施例による端末装置の表示手段の画面表示例を示す図である。
【図２２】本発明の第４の実施例による端末装置の表示手段の画面表示例を示す図である。
【図２３】本発明の第５の実施例による書物の組版の一例を示す図である。
【図２４】本発明の第５の実施例による書物の組版の一例を示す図である。
【図２５】本発明の第６の実施例による書物の製造工程の一部を示す工程図である。
【図２６】本発明の第７の実施例による書物の製造工程の一部と書物のカバーまたは帯の製造工程の一部とを示す工程図である。
【符号の説明】
【０１０３】
１  端末装置
２  サーバ装置
３  電気通信網
４  第二のサーバ装置
５  広告サーバ装置
６  第三のサーバ装置
１１，２１，４１，６１  制御手段
１２  表示手段
１３  入力手段
１４，２４，４４，６４  通信手段
１５，２５，４５，６５  記録媒体
２２  コンテンツデータベース
２３  ユーザデーターベース
２６  広告データベース
４２  第一の唯一のコード発生記憶確認手段
４３，６３  印刷書込み手段
６２  第二の唯一のコード発生記憶確認手段
【図１】
2006039975.tif 000003
【図２】
2006039975.tif 000004
【図３】
2006039975.tif 000005
【図４】
2006039975.tif 000006
【図５】
2006039975.tif 000007
【図６】
2006039975.tif 000008
【図７】
2006039975.tif 000009
【図８】
2006039975.tif 000010
【図９】
2006039975.tif 000011
【図１０】
2006039975.tif 000012
【図１１】
2006039975.tif 000013
【図１２】
2006039975.tif 000014
【図１３】
2006039975.tif 000015
【図１４】
2006039975.tif 000016
【図１５】
2006039975.tif 000017
【図１６】
2006039975.tif 000018
【図１７】
2006039975.tif 000019
【図１８】
2006039975.tif 000020
【図１９】
2006039975.tif 000021
【図２０】
2006039975.tif 000022
【図２１】
2006039975.tif 000023
【図２２】
2006039975.tif 000024
【図２３】
2006039975.tif 000025
【図２４】
2006039975.tif 000026
【図２５】
2006039975.tif 000027
【図２６】
2006039975.tif 000028